【手続補正書】
【提出日】平成22年7月30日(2010.7.30)
【手続補正１】
【補正対象書類名】特許請求の範囲
【補正対象項目名】全文
【補正方法】変更
【補正の内容】
【特許請求の範囲】
【請求項１】
ＸＹアドレス方式の撮像素子により得られた画像信号のフリッカ成分を補正するフリッカ補正装置であって、
前記画像信号を、複数のフリッカ検出枠に分割する分割手段と、
前記複数のフリッカ検出枠の各々で、フリッカ成分を検出するフリッカ検出手段と、
前記フリッカ検出手段が検出したフリッカ成分を記憶する記憶手段と、
前記フリッカ検出手段が検出したフリッカ成分と、予め定めたフリッカ成分を表すフリッカモデルとから、前記画像信号に対するフリッカモデルを決定する決定手段と、
前記複数のフリッカ検出枠を、それぞれのフリッカ検出枠から検出されたフリッカ成分と前記フリッカモデルが表すフリッカ成分との差分に応じて分類する分類手段と、
前記記憶手段に記憶された、前記分類手段により前記差分が予め定めた値以上であると分類されたフリッカ検出枠のフリッカ成分を、前記分類手段により前記差分が前記予め定めた値よりも小さいと分類されたフリッカ検出枠のフリッカ成分を用いて生成した新たなフリッカ成分で置き換える制御手段と、
前記制御手段による置き換えが終了した後、前記記憶手段に記憶されたフリッカ成分から生成した補正値を用いて、前記画像信号のフリッカ成分を補正する補正手段とを有し、
前記分類手段は前記差分が前記予め定めた値以上であると分類されたフリッカ検出枠のフリッカ成分に対する判定処理を行い、
前記制御手段は前記判定処理の結果に応じて、複数の補間方法から１つを選択し、選択した補間方法にて前記新たなフリッカ成分を生成することを特徴とするフリッカ補正装置。
【請求項２】
前記補正手段は、前記分類手段により前記差分が前記予め定めた値以上であると分類されたフリッカ検出枠の割合が予め定められた閾値を超える画像信号については、フリッカ成分の補正を行わないことを特徴とする請求項１記載のフリッカ補正装置。
【請求項３】
前記分類手段は、前記差分が前記予め定めた値以上であると分類されたフリッカ検出枠のうち連続するフリッカ検出枠からなる１つの領域を低信頼性領域として設定し、前記低信頼性領域の全周囲に前記差分が前記予め定めた値よりも小さいと分類されたフリッカ検出枠があるかを判定することを特徴とする請求項１又は請求項２記載のフリッカ補正装置。
【請求項４】
前記制御手段が、前記分類手段により全周囲に前記差分が前記予め定めた値よりも小さいと分類されたフリッカ検出枠があると判定された前記低信頼性領域に含まれるフリッカ検出枠のフリッカ成分を、当該低信頼性領域の周囲に存在する、前記分類手段により前記差分が前記予め定めた値よりも小さいと分類されたフリッカ検出枠のフリッカ成分を補間することによって生成することを特徴とする請求項３記載のフリッカ補正装置。
【請求項５】
前記制御手段が、前記分類手段により全周囲に前記差分が前記予め定めた値よりも小さいと分類されたフリッカ検出枠があると判定されなかった前記低信頼性領域に含まれるフリッカ検出枠のフリッカ成分を、前記分類手段により前記差分が前記予め定めた値よりも小さいと分類されたフリッカ検出枠のフリッカ成分を外挿補間することによって生成することを特徴とする請求項３又は４に記載のフリッカ補正装置。
【請求項６】
前記分類手段は、前記差分が前記予め定めた値以上であると分類されたフリッカ検出枠のうち連続するフリッカ検出枠からなる１つの領域を低信頼性領域として設定し、前記画像信号における前記低信頼性領域のうち最大面積となる領域の大きさが予め定めた所定値よりも小さいか否かを判定することを特徴とする請求項１乃至５のいずれか１項に記載のフリッカ補正装置。
【請求項７】
前記分類手段により前記画像信号における前記低信頼性領域のうち最大面積となる領域の大きさが前記予め定めた所定値よりも小さいと判定されなかった場合に、前記制御手段が、前記低信頼性領域に含まれるフリッカ検出枠のフリッカ成分を、前記分類手段により前記差分が前記予め定めた値よりも小さいと分類されたフリッカ検出枠が所定の個数以上連続している列及び行に含まれるフリッカ検出枠のフリッカ成分を補間することによって生成することを特徴とする請求項６記載のフリッカ補正装置。
【請求項８】
ＸＹアドレス方式の撮像素子により得られた画像信号のフリッカ成分を補正するフリッカ補正方法であって、
分割手段が前記画像信号を、複数のフリッカ検出枠に分割する工程と、
フリッカ検出手段が前記複数のフリッカ検出枠の各々で、フリッカ成分を検出する工程と、
記憶手段が前記フリッカ検出手段が検出したフリッカ成分を記憶手段に記憶する工程と、
決定手段が前記フリッカ検出手段が検出したフリッカ成分と、予め定めたフリッカ成分を表すフリッカモデルとから、前記画像信号に対するフリッカモデルを決定する工程と、
分類手段がそれぞれのフリッカ検出枠から検出されたフリッカ成分と前記フリッカモデルとの差分を求め、前記複数のフリッカ検出枠を前記差分が予め定めた値以上であるフリッカ検出枠と、前記差分が前記予め定めた値よりも小さいフリッカ検出枠に分類するとともに、前記差分が前記予め定めた値以上であると分類されたフリッカ検出枠のフリッカ成分に対する判定処理を行う工程と、
制御手段が前記判定処理の結果に応じて複数の補間方法から１つを選択し、前記記憶手段に記憶された前記差分が前記予め定めた値以上であると分類されたフリッカ検出枠のフリッカ成分を、前記差分が前記予め定めた値よりも小さいと分類されたフリッカ検出枠のフリッカ成分を用いて、選択された補間方法により生成した新たなフリッカ成分で置き換える工程と、
前記制御手段による置き換えが終了した後、補正手段が、前記記憶手段に記憶されたフリッカ成分から生成した補正値を用いて、前記画像信号のフリッカ成分を補正する工程とを有することを特徴とするフリッカ補正方法。
【請求項９】
コンピュータを、請求項１乃至請求項７のいずれか１項に記載のフリッカ補正装置の各手段として機能させるためのプログラム。
【手続補正２】
【補正対象書類名】明細書
【補正対象項目名】０００９
【補正方法】変更
【補正の内容】
【０００９】
上述の目的は、ＸＹアドレス方式の撮像素子により得られた画像信号のフリッカ成分を補正するフリッカ補正装置であって、画像信号を、複数のフリッカ検出枠に分割する分割手段と、複数のフリッカ検出枠の各々で、フリッカ成分を検出するフリッカ検出手段と、フリッカ検出手段が検出したフリッカ成分を記憶する記憶手段と、フリッカ検出手段が検出したフリッカ成分と、予め定めたフリッカ成分を表すフリッカモデルとから、画像信号に対するフリッカモデルを決定する決定手段と、複数のフリッカ検出枠を、それぞれのフリッカ検出枠から検出されたフリッカ成分とフリッカモデルが表すフリッカ成分との差分に応じて分類する分類手段と、記憶手段に記憶された、分類手段により差分が予め定めた値以上であると分類されたフリッカ検出枠のフリッカ成分を、分類手段により差分が予め定めた値よりも小さいと分類されたフリッカ検出枠のフリッカ成分を用いて生成した新たなフリッカ成分で置き換える制御手段と、制御手段による置き換えが終了した後、記憶手段に記憶されたフリッカ成分から生成した補正値を用いて、画像信号のフリッカ成分を補正する補正手段とを有し、分類手段は差分が予め定めた値以上であると分類されたフリッカ検出枠のフリッカ成分に対する判定処理を行い、制御手段は判定処理の結果に応じて、複数の補間方法から１つを選択し、選択した補間方法にて新たなフリッカ成分を生成することを特徴とするフリッカ補正装置によって達成される。
【手続補正３】
【補正対象書類名】明細書
【補正対象項目名】００１０
【補正方法】変更
【補正の内容】
【００１０】
また、上述の目的は、ＸＹアドレス方式の撮像素子により得られた画像信号のフリッカ成分を補正するフリッカ補正方法であって、分割手段が画像信号を、複数のフリッカ検出枠に分割する工程と、フリッカ検出手段が複数のフリッカ検出枠の各々で、フリッカ成分を検出する工程と、記憶手段がフリッカ検出手段が検出したフリッカ成分を記憶手段に記憶する工程と、決定手段がフリッカ検出手段が検出したフリッカ成分と、予め定めたフリッカ成分を表すフリッカモデルとから、画像信号に対するフリッカモデルを決定する工程と、分類手段がそれぞれのフリッカ検出枠から検出されたフリッカ成分とフリッカモデルとの差分を求め、複数のフリッカ検出枠を差分が予め定めた値以上であるフリッカ検出枠と、差分が予め定めた値よりも小さいフリッカ検出枠に分類するとともに、差分が予め定めた値以上であると分類されたフリッカ検出枠のフリッカ成分に対する判定処理を行う工程と、制御手段が判定処理の結果に応じて複数の補間方法から１つを選択し、記憶手段に記憶された差分が予め定めた値以上であると分類されたフリッカ検出枠のフリッカ成分を、差分が予め定めた値よりも小さいと分類されたフリッカ検出枠のフリッカ成分を用いて、選択された補間方法により生成した新たなフリッカ成分で置き換える工程と、
また、本発明の別の要旨は、前記制御手段による置き換えが終了した後、補正手段が、記憶手段に記憶されたフリッカ成分から生成した補正値を用いて、画像信号のフリッカ成分を補正する工程とを有することを特徴とするフリッカ補正方法によっても達成される。